(57)【要約】【課題】効率的に設置でき、かつ、たわみが抑制された落下防止構造を提供する。【解決手段】複数の横架材間の隙間からの物体の落下を防止するための落下防止構造は、網目状のワイヤーであるワイヤーメッシュと、ワイヤーメッシュの外周に沿って取り付けられた外周部材と、外周部材を横架材に固定するための固定部材とを備える。【選択図】図１
2020190079.tif 000002
【特許請求の範囲】
【請求項１】
複数の横架材間の隙間からの物体の落下を防止するための落下防止構造であって、
網目状のワイヤーであるワイヤーメッシュと、
前記ワイヤーメッシュの外周に沿って取り付けられた外周部材と、
前記外周部材を前記横架材に固定するための固定部材と、
を備える、落下防止構造。
【請求項２】
請求項１に記載の落下防止構造であって、
前記外周部材は、枠状に組まれたフラットバーである、落下防止構造。
【請求項３】
請求項２に記載の落下防止構造であって、
前記固定部材は、前記フラットバーに形成された孔に挿入されて前記フラットバーを前記横架材に固定するビスである、落下防止構造。
【請求項４】
請求項１から請求項３までのいずれか一項に記載の落下防止構造であって、
前記複数の横架材は、ぶどう棚を構成する下地鉄骨である、落下防止構造。
【発明の詳細な説明】
【技術分野】
【０００１】
本明細書によって開示される技術は、複数の横架材間の隙間からの物体の落下を防止するための落下防止構造に関する。
【背景技術】
【０００２】
例えば工場等のように天井高が比較的高い建築物において、天井付近の空間に設備機器等を設置したり、天井を支持したりするために、ぶどう棚が設けられることがある（例えば、特許文献１参照）。ぶどう棚は、複数の下地鉄骨（横架材）を井桁状（格子状）に組んだ架台である。
【先行技術文献】
【特許文献】
【０００３】
【特許文献１】特開２０１０−１３３１５７号公報
【発明の概要】
【発明が解決しようとする課題】
【０００４】
ぶどう棚が設置された建築物では、ぶどう棚を構成する複数の下地鉄骨間の隙間からの物体（例えば、作業者）の落下を防止するために、落下防止構造が設置される。落下防止構造は、例えば、網目状のワイヤーであるワイヤーメッシュを下地鉄骨に溶接することにより固定される。しかしながら、このような構成の落下防止構造では、溶接により固定されることから設置作業の効率が低い上に、ワイヤーメッシュ上を作業者等が歩行する際にワイヤーメッシュがたわんで歩きにくい、という課題がある。
【０００５】
なお、このような課題は、ぶどう棚を構成する複数の下地鉄骨間の隙間からの物体の落下を防止するための落下防止構造に限らず、複数の横架材間の隙間からの物体の落下を防止するための落下防止構造に共通の課題である。
【０００６】
本明細書では、上述した課題を解決することが可能な技術を開示する。
【課題を解決するための手段】
【０００７】
本明細書に開示される技術は、例えば、以下の形態として実現することが可能である。
【０００８】
（１）本明細書に開示される落下防止構造は、複数の横架材間の隙間からの物体の落下を防止するための落下防止構造であって、網目状のワイヤーであるワイヤーメッシュと、前記ワイヤーメッシュの外周に沿って取り付けられた外周部材と、前記外周部材を前記横架材に固定するための固定部材と、を備える。このように、本落下防止構造は、ワイヤーメッシュの外周に沿って取り付けられた外周部材と、外周部材を横架材に固定するための固定部材とを備えるため、溶接を行うことなく落下防止構造を横架材に固定することができる。従って、本落下防止構造によれば、ワイヤーメッシュを横架材に溶接することにより固定される従来の落下防止構造の構成と比較して、設置作業の効率を向上させることができる。また、本落下防止構造は、ワイヤーメッシュの外周に沿って取り付けられた外周部材を備えるため、外周部材によってワイヤーメッシュが補強され、ワイヤーメッシュ上を作業者等が歩行する際のワイヤーメッシュのたわみの発生を抑制することができる。
【０００９】
（２）上記落下防止構造において、前記外周部材は、枠状に組まれたフラットバーである構成としてもよい。本落下防止構造によれば、ワイヤーメッシュのたわみの発生を効果的に抑制することができる。
【００１０】
（３）上記落下防止構造において、前記固定部材は、前記フラットバーに形成された孔に挿入されて前記フラットバーを前記横架材に固定するビスである構成としてもよい。本落下防止構造によれば、設置作業の効率を効果的に向上させることができる。
【００１１】
（４）上記落下防止構造において、前記複数の横架材は、ぶどう棚を構成する下地鉄骨である構成としてもよい。本落下防止構造によれば、ぶどう棚を構成する横架材間の隙間からの物体の落下を防止することができる。
【００１２】
なお、本明細書に開示される技術は、種々の形態で実現することが可能であり、例えば、落下防止構造、落下防止構造とぶどう棚とを備えるぶどう棚構造、それらの製造方法等の形態で実現することが可能である。
【図面の簡単な説明】
【００１３】
【図１】本実施形態におけるぶどう棚構造１０の構成を示す説明図
【図２】本実施形態におけるぶどう棚構造１０の一部分（図１のＸ１部）の構成を拡大して示す説明図
【発明を実施するための形態】
【００１４】
Ａ．実施形態：
図１は、本実施形態におけるぶどう棚構造１０の構成を示す説明図であり、図２は、本実施形態におけるぶどう棚構造１０の一部分（図１のＸ１部）の構成を拡大して示す説明図である。
【００１５】
図１に示すように、ぶどう棚構造１０は、ぶどう棚２００と、ぶどう棚２００上に設置された落下防止構造１００とを備える。
【００１６】
ぶどう棚２００は、複数の下地鉄骨（横架材）２１０を井桁状（格子状）に組んだ架台であり、例えば工場等のように天井高が比較的高い建築物において、天井付近の空間に設備機器等を設置したり、天井を支持したりするために設けられる。図１には、ぶどう棚２００の一部分の上面構成が示されている。
【００１７】
落下防止構造１００は、ぶどう棚２００を構成する複数の下地鉄骨２１０間の隙間からの物体（例えば、作業者）の落下を防止するために設置される。なお、本実施形態では、ぶどう棚２００の面積が比較的広いため、ぶどう棚２００上に複数の落下防止構造１００が敷き詰められるように配置されている。
【００１８】
図１および図２に示すように、各落下防止構造１００は、ワイヤーメッシュ１０４と、外周部材１０２と、固定部材１０６とを備えている。ワイヤーメッシュ１０４は、金属製の複数のワイヤーを例えば溶接によって網目状（格子状）に組んだものである。ワイヤーメッシュ１０４を構成する各ワイヤーの直径は、例えば５ｍｍ〜１０ｍｍ程度である。本実施形態では、ワイヤーメッシュ１０４の上面視での形状は、略矩形である。外周部材１０２は、例えばフラットバー（平鋼）を枠状に組んだものであり、ワイヤーメッシュ１０４の外周部（外周部を構成する各ワイヤー）に例えば溶接によって取り付けられている。外周部材１０２を構成するフラットバーの厚さは、例えば３ｍｍ〜１０ｍｍ程度であり、フラットバーの幅は、例えば１０ｍｍ〜５０ｍｍ程度である。本実施形態では、外周部材１０２の上面視での形状は、略矩形である。固定部材１０６は、外周部材１０２に形成された孔に挿入されて外周部材１０２をぶどう棚２００の下地鉄骨２１０に固定するビスである。本実施形態では、外周部材１０２における下地鉄骨２１０との各重複位置において、固定部材１０６が設けられている。なお、図示しないが、落下防止構造１００は、役物（例えば柱周り役物）を備えていてもよい。
【００１９】
本実施形態におけるぶどう棚構造１０の製造方法は、例えば以下の通りである。まず、工場において落下防止構造１００のワイヤーメッシュ１０４および外周部材１０２を作製する。具体的には、ワイヤーメッシュ１０４を準備し、ワイヤーメッシュ１０４の外周部に、フラットバーにより形成された外周部材１０２を、例えば溶接により取り付ける。なお、落下防止構造１００が役物を備える場合には、工場において役物の加工・取り付けも行う。
【００２０】
また、別途、下地鉄骨２１０を組み立ててぶどう棚２００を作製する。作製されたぶどう棚２００上に落下防止構造１００のワイヤーメッシュ１０４および外周部材１０２を設置し、固定部材（ビス）１０６により外周部材１０２をぶどう棚２００の下地鉄骨２１０に固定する。以上の方法により、本実施形態におけるぶどう棚構造１０が作製される。
【００２１】
以上説明したように、本実施形態のぶどう棚構造１０を構成する落下防止構造１００は、ぶどう棚２００の複数の下地鉄骨２１０間の隙間からの物体の落下を防止するための構造であって、ワイヤーメッシュ１０４と、外周部材１０２と、固定部材１０６とを備える。ワイヤーメッシュ１０４は、網目状のワイヤーである。外周部材１０２は、ワイヤーメッシュ１０４の外周に沿って取り付けられている。固定部材１０６は、外周部材１０２をぶどう棚２００の下地鉄骨２１０に固定するための部材である。このように、本実施形態の落下防止構造１００は、ワイヤーメッシュ１０４の外周に沿って取り付けられた外周部材１０２と、外周部材１０２をぶどう棚２００の下地鉄骨２１０に固定するための固定部材１０６とを備えるため、溶接を行うことなくぶどう棚２００に固定することができる。従って、本実施形態の落下防止構造１００によれば、ワイヤーメッシュをぶどう棚の下地鉄骨に溶接することにより固定される従来の落下防止構造の構成と比較して、設置作業の効率を向上させることができる。なお、本実施形態の落下防止構造１００は、溶接を行うことなく設置することができるため、既存建築物の改修の際に適用することが特に好適である。
【００２２】
また、本実施形態の落下防止構造１００は、ワイヤーメッシュ１０４の外周に沿って取り付けられた外周部材１０２を備えるため、外周部材１０２によってワイヤーメッシュ１０４が補強され、ワイヤーメッシュ１０４上を作業者等が歩行する際のワイヤーメッシュ１０４のたわみの発生を抑制することができる。
【００２３】
特に、本実施形態の落下防止構造１００では、外周部材１０２が、枠状に組まれたフラットバーであるため、外周部材１０２によってワイヤーメッシュ１０４を効果的に補強することができ、ワイヤーメッシュ１０４のたわみの発生を効果的に抑制することができる。
【００２４】
また、本実施形態の落下防止構造１００では、固定部材１０６が、外周部材１０２を構成するフラットバーに形成された孔に挿入されてフラットバーをぶどう棚２００の下地鉄骨２１０に固定するビスであるため、設置作業の効率を効果的に向上させることができる。
【００２５】
また、本実施形態の落下防止構造１００は、ぶどう棚２００上に設置されるため、ぶどう棚２００を構成する下地鉄骨２１０間の隙間からの物体の落下を防止することができる。
【００２６】
Ｂ．変形例：
本明細書で開示される技術は、上述の実施形態に限られるものではなく、その要旨を逸脱しない範囲において種々の形態に変形することができ、例えば次のような変形も可能である。
【００２７】
上記実施形態におけるぶどう棚構造１０、落下防止構造１００、ぶどう棚２００の構成は、あくまで一例であり、種々変形可能である。例えば、上記実施形態では、落下防止構造１００の外周部材１０２がフラットバーにより構成されているが、外周部材１０２がフラットバー以外の他の部材（例えば、形鋼等）により構成されてもよい。また、上記実施形態では、落下防止構造１００の固定部材１０６がビスにより構成されているが、固定部材１０６がビス以外の他の固定手段（例えば、クランプ等）により構成されてもよい。
【００２８】
また、本発明は、ぶどう棚２００からの落下を防止するために設けられる落下防止構造１００に限らず、複数の横架材間の隙間からの物体の落下を防止するための落下防止構造にも同様に適用可能である。
【符号の説明】
【００２９】
１０：ぶどう棚構造  １００：落下防止構造  １０２：外周部材  １０４：ワイヤーメッシュ  １０６：固定部材  ２００：ぶどう棚  ２１０：下地鉄骨
【図１】
2020190079.tif 000003
【図２】
2020190079.tif 000004